(57)【要約】【課題】回転動作にて奥スペースの食品等の取り出しを容易にする棚機構を有する冷蔵庫を、無効スペースを最小限に留め、且つ、見栄えや取外し清掃性が向上し、動作時の安全性を向上させた冷蔵庫を提供する。【解決手段】この発明に係る冷蔵庫は、以下の要素を有する回転棚装置を備え、（１）貯蔵室の左右側壁に設置される一対のレール；（２）一対のレール上に前後方向に摺動自在に設けられ、略中央に軸支持穴を有する支持棚；（３）四隅に回転支点を中心とした円弧形状により切欠きが形成され、略中央に回転トレイ軸が形成された回転トレイ；（４）回転トレイ軸に固定されるとともに、支持棚の軸支持穴に摺動自在に嵌合する固定リング；  回転トレイ軸は、所定の回転角度のみにおいて支持棚の軸支持穴を通過でき、所定の回転角度以外の回転角度では、支持棚の軸支持穴を通過できない構成としたものである。【選択図】図１
2011247445.tif 000002
【特許請求の範囲】
【請求項１】
以下の要素を有する回転棚装置を備え、
（１）貯蔵室の左右側壁に設置される一対のレール；
（２）前記一対のレール上に前後方向に摺動自在に設けられ、略中央に軸支持穴を有する支持棚；
（３）四隅に回転支点を中心とした円弧形状により切欠きが形成され、略中央に回転トレイ軸が形成された回転トレイ；
（４）前記回転トレイ軸に固定されるとともに、前記支持棚の前記軸支持穴に摺動自在に嵌合する固定リング；
前記回転トレイ軸は、所定の回転角度のみにおいて前記支持棚の前記軸支持穴を通過でき、前記所定の回転角度以外の回転角度では、前記支持棚の前記軸支持穴を通過できない構成としたことを特徴とする冷蔵庫。
【請求項２】
前記回転トレイ軸は、下端部付近の外周に、周方向に所定の幅を有し径方向に所定の長さ外側に突出する複数の嵌合爪を備え、
さらに、前記支持棚の前記軸支持穴は、前記嵌合爪が前記所定の回転角度において通過可能な切欠き部を備えることを特徴とする請求項１記載の冷蔵庫。
【請求項３】
前記嵌合爪及び前記切欠き部は、周方向に１８０°間隔で形成されていることを特徴とする請求項１又は請求項２記載の冷蔵庫。
【請求項４】
前記固定リングは、樹脂の弾性力により前記回転トレイ軸に嵌合固定されることを特徴とする請求項１乃至３のいずれかに記載の冷蔵庫。
【請求項５】
以下の要素を有する回転棚装置を備え、
（１）貯蔵室の左右側壁に設置される一対のレール；
（２）前記一対のレール上に前後方向に摺動自在に設けられ、略中央に軸支持穴を有する支持棚；
（３）四隅に回転支点を中心とした円弧形状により切欠きが形成され、略中央に回転トレイ軸が形成された回転トレイ；
（４）前記回転トレイ軸に固定されるとともに、前記支持棚の前記軸支持穴に摺動自在に嵌合する固定リング；
さらに、前記貯蔵室の天井面に該貯蔵室の左右幅方向に所定の間隔で設けられ、ＬＥＤ（発光ダイオード）が実装されたＬＥＤ実装基板を備えたことを特徴とする冷蔵庫。
【請求項６】
前記ＬＥＤ実装基板は、前記固定リングの外径の３倍以上の間隔で左右に配置されることを特徴とする請求項５記載の冷蔵庫。
【請求項７】
一対の前記ＬＥＤ実装基板が、前記固定リングの外径の３倍以上の間隔で左右に配置されることを特徴とする請求項６記載の冷蔵庫。
【請求項８】
さらに、前記貯蔵室の天井面に該貯蔵室の左右幅方向に所定の間隔で設けられ、ＬＥＤ（発光ダイオード）が実装されたＬＥＤ実装基板を備えたことを特徴とする請求項１乃至３のいずれかに記載の冷蔵庫。
【請求項９】
前記固定リングの外径を、φ７０ｍｍ〜φ１００ｍｍとしたことを特徴とする請求項１乃至８のいずれかに記載の冷蔵庫。
【発明の詳細な説明】
【技術分野】
【０００１】
この発明は、冷蔵庫に関する。特に、冷蔵室等の貯蔵室における食品収納棚の使い勝手向上技術に関する。
【背景技術】
【０００２】
一般に、冷蔵庫における食品を載せる食品収納棚を有する冷蔵室において、特に、最上段奥スペースに入れた食品収納棚上の食品を容易に取り出すことができるように改善することが強く要求されている。
【０００３】
そこで、例えば、食品収納棚の回転に従って奥スペースに収納された食品が使用者の近くに出るようにして、使い勝手がよく、且つ無効空間を最小化させることができる冷蔵庫の棚装置が提案されている（例えば、特許文献１参照）。
【０００４】
上記冷蔵庫は、正面に開口部のある食品貯蔵室と、食品貯蔵室を開閉する扉と、食品貯蔵室の側壁に設けられた棚支持台と、棚支持台に支持されている補助棚と、後面が正面開口部に接近するようにスイング動作される、補助棚上部に装着された回転棚とからなるものである。
【先行技術文献】
【特許文献】
【０００５】
【特許文献１】特開平１０−１５３３８２号公報
【発明の概要】
【発明が解決しようとする課題】
【０００６】
しかしながら、上記特許文献１に記載された冷蔵庫の棚装置は、奥スペースの食品等の取り出しを容易にする効果は有するものの、回転させるため軸部のネジに下方からナットが固定されるものであり、組立て性に難があるとともに、見栄えが低下する。さらに、使用者による回転棚の取外しが困難であるため、清掃性が悪いという課題があった。
【０００７】
また、上記特許文献１に記載された冷蔵庫の棚装置は、固定された補助棚の溝内を、回転軸が前方へ移動し回転するため、回転９０度位置において、回転棚の前方への突出量が大きく、軸部への負荷が大きくかかる、また、使用者に与える貯蔵品の落下の恐怖感が増長される、という課題があった。
【０００８】
この発明は、上記のような課題を解決するためになされたもので、回転動作にて奥スペースの食品等の取り出しを容易にする棚機構を有する冷蔵庫を、無効スペースを最小限に留め、且つ、見栄えや取外し清掃性が向上し、動作時の安全性を向上させた冷蔵庫を提供する。
【課題を解決するための手段】
【０００９】
この発明に係る冷蔵庫は、以下の要素を有する回転棚装置を備え、
（１）貯蔵室の左右側壁に設置される一対のレール；
（２）一対のレール上に前後方向に摺動自在に設けられ、略中央に軸支持穴を有する支持棚；
（３）四隅に回転支点を中心とした円弧形状により切欠きが形成され、略中央に回転トレイ軸が形成された回転トレイ；
（４）回転トレイ軸に固定されるとともに、支持棚の軸支持穴に摺動自在に嵌合する固定リング；
回転トレイ軸は、所定の回転角度のみにおいて支持棚の軸支持穴を通過でき、所定の回転角度以外の回転角度では、支持棚の軸支持穴を通過できない構成としたものである。
【発明の効果】
【００１０】
この発明に係る冷蔵庫は、無効スペースを最小限に留め、且つ、見栄えや取外し清掃性が向上し、動作時の安全性を向上させることができる。
【図面の簡単な説明】
【００１１】
【図１】実施の形態１を示す図で、回転棚装置１０の分解斜視図。
【図２】実施の形態１を示す図で、回転棚装置１０の原位置における概念平面図。
【図３】実施の形態１を示す図で、回転棚装置１０の原位置における概念斜視図。
【図４】実施の形態１を示す図で、回転棚装置１０の前進位置における概念斜視図。
【図５】実施の形態１を示す図で、回転棚装置１０の前進回転位置における概念斜視図。
【図６】実施の形態１を示す図で、回転棚装置１０の前進回転位置における概念斜視図。
【図７】実施の形態１を示す図で、回転棚装置１０の原位置回転位置における概念斜視図。
【図８】実施の形態１を示す図で、回転トレイ１１の回転トレイ軸１１ａと支持棚１２の軸支持穴１２ｃとの嵌合構造を示す図。
【図９】実施の形態１を示す図で、回転棚装置１０の軸嵌合構造を示す図。
【図１０】実施の形態１を示す図で、固定リング１３の拡大斜視図。
【図１１】実施の形態１を示す図で、回転棚装置１０の平面図。
【図１２】図１１のＹ−Ｙ断面図。
【図１３】実施の形態１を示す図で、レール２０を貯蔵室側から見た側面図。
【図１４】実施の形態２を示す図で、冷蔵庫１００の冷蔵室１０１を示す概念正面図。
【図１５】実施の形態２を示す図で、冷蔵庫１００の冷蔵室１０１における庫内照明の構成を示す分解斜視図。
【発明を実施するための形態】
【００１２】
実施の形態１．
図１は実施の形態１を示す図で、冷蔵庫の回転棚装置１０の分解斜視図である。回転棚装置１０は、食品等を載置する回転トレイ１１と、回転トレイ１１を回転自在に支持する支持棚１２と、回転トレイ１１と支持棚１２とを嵌合する固定リング１３と、貯蔵室（例えば、冷蔵室）左右側壁に設置され、支持棚１２が前後方向に摺動する一対のレール２０とを、少なくとも備える。回転トレイ軸１１ａ、軸支持穴１２ｃについては、後述する。
【００１３】
回転棚装置１０以外の冷蔵庫（図示せず）の構成は、一般的な構成であるので、詳細な説明は割愛する。冷蔵庫は、鋼板製の外箱と樹脂製の内箱とこれらの間に充填された発泡断熱材とで形成された断熱箱体を複数の室に仕切り、それぞれの室の開口部を開閉自在に閉塞する扉体を有する。
【００１４】
冷蔵庫の断熱箱体は、例えば、上から順に冷蔵室、製氷室及び切替室、野菜室、冷凍室に仕切られている。これらの室を、貯蔵室と呼ぶことにする。そして、これらの室は、その開口部を開閉自在に閉塞する冷蔵室扉体、製氷室扉体、切替室扉体、野菜室扉体、冷凍室扉体を有する。
【００１５】
断熱箱体を複数の室に仕切る仕切部材には、冷蔵室と製氷室及び切替室とを仕切る第１の仕切部材、製氷室と切替室とを仕切る第２の仕切部材、製氷室及び切替室と野菜室とを仕切る第３の仕切部材、野菜室と冷凍室とを仕切る第４の仕切部材がある。
【００１６】
先ず、回転棚装置１０の基本構成について、図２乃至図７を参照しながら説明する。図２乃至図７は実施の形態１を示す図で、図２は回転棚装置１０の原位置における概念平面図、図３は回転棚装置１０の原位置における概念斜視図、図４は回転棚装置１０の前進位置における概念斜視図、図５は回転棚装置１０の前進回転位置における概念斜視図、図６は回転棚装置１０の前進回転位置における概念斜視図、図７は回転棚装置１０の原位置回転位置における概念斜視図である。
【００１７】
図における一対のレール２０（前後方向に支持棚１２を案内するガイド）は、冷蔵庫内の貯蔵室の両側壁面（内箱の両側壁面）に設けられ、支持棚１２を前後方向に摺動自在に支持している。支持棚１２上には回転トレイ１１が設けられ、支持棚１２と回転トレイ１１は互いに回転自由な一箇所の支点により連結されている（この点については、後述する）。回転トレイ１１は、支持棚１２に回転自由な支点により支持されていて、回転トレイ１１の四隅は回転支点を中心とした円弧形状により切り欠きを有することで回動できる形状となっている。
【００１８】
図２、図３に示す原位置において、回転棚装置１０は、回転トレイ１１が回転することなく冷蔵庫内の貯蔵室（例えば、冷蔵室）に収納されている。そして、レール２０に沿って前後方向にスライド可能な支持棚１２は、貯蔵室の最奥部に位置する。このときユーザは、必要に応じて支持棚１２をレール２０に沿って前後にスライドさせることができる。図２、図３では、食品３０が回転トレイ１１の右最奥部に置かれている状態を示している。
【００１９】
例えば、図４に示すように、回転トレイ１１をレール２０に沿って手前に引き出すことにより、回転トレイ１１上の手前もしくは中央付近への食品（図示せず）の出し入れは、容易に行うことができる。
【００２０】
しかし、例えば、回転トレイ１１の右最奥部に置かれている食品３０は、図４に示すように回転トレイ１１をレール２０に沿って手前に引き出しても、容易に取り出すことは困難である。回転トレイ１１の右最奥部に置かれている食品３０の手前側に他の食品がある場合は、特に難しい。
【００２１】
本実施の形態の回転棚装置１０は、回転トレイ１１が、支持棚１２に回転自由な支点により支持されていて、回転トレイ１１の四隅は回転支点を中心とした円弧形状により切り欠きを有することで回動できる形状となっている。そのため、例えば、回転トレイ１１の右最奥部に置かれている食品３０を取り出す場合は、先ず最奥部にある回転トレイ１１を手前に引き出す（図４の状態）。次に、図５に示すように、回転トレイ１１をいずれかの方向に回転させる（時計方向でも反時計方向でもよい、図５では時計方向の場合を示している）。
【００２２】
図２、図３に示す原位置から１８０°回転させた状態を、図６に示す。最奥部にある回転トレイ１１を手前に引き出した状態（図４）で、回転トレイ１１上に置かれた食品の前後位置関係を反転させることができる。
【００２３】
特に、図２、図３に示す原位置で回転トレイ１１の右最奥部に置かれていた食品３０が、回転トレイ１１の最前列に位置する。そのため、ユーザは容易に食品３０を取り出すことができる。
【００２４】
さらには、その状態（食品３０が回転トレイ１１の最前列に位置する）で図７に示すように、支持棚１２を後方に移動させて貯蔵室の最奥部に収めることもできる。賞味期限が迫りがちな冷蔵庫最奥部スペースに収納された食品等を冷蔵庫内の手前スペースに配置替えした状態で冷蔵保管することも可能であり、ユーザの利便性に加えて食品の賞味期限切れによるロス低減にも効果を奏することができる。
【００２５】
ここまでは、回転トレイ１１の右最奥部に置かれている食品３０を取り出すケースについて説明したが、その反対に、例えば、回転トレイ１１の右最奥部に収納スペースがあり、そこに食品等を収納する場合も、同様の手順で行うことができる。
【００２６】
尚、冷蔵庫の最上部に位置する貯蔵室に複数の棚がある場合、最上段の棚に本実施の形態の回転棚装置１０を用いると、最上段の棚における奥の食品の取り出し性が改善されるので、特に有効である。
【００２７】
本実施の形態の回転棚装置１０の特徴は、貯蔵室の奥に収納される食品の取り出し性を改善する回転棚装置１０において、回転トレイ１１、支持棚１２並びに固定リング１３で構成される回転棚装置１０の組立及び分解を容易に行うことができる点にある。
【００２８】
また、本実施の形態の回転棚装置１０は、固定リング１３の取付け不備や使用中に固定リング１３が外れることがあっても、回転トレイ１１が支持棚１２から落下する恐れの少ない点に特徴がある。
【００２９】
以下、上記本実施の形態の回転棚装置１０の特徴について、具体的に説明する。既に述べたように、回転トレイ１１は、平面視で略長方形（短辺が貯蔵室奥行き方向、長辺が貯蔵室幅方向）であり、四隅は回転支点を中心とした円弧形状の切り欠きを有する形状である。そして、回転トレイ１１の略中心部に、回転トレイ軸１１ａ（図１、図８参照）を備える。
【００３０】
図８乃至図１３は実施の形態１を示す図で、図８は回転トレイ１１の回転トレイ軸１１ａと支持棚１２の軸支持穴１２ｃとの嵌合構造を示す図、図９は回転棚装置１０の軸嵌合構造を示す図、図１０は固定リング１３の拡大斜視図、図１１は回転棚装置１０の平面図、図１２は図１１のＹ−Ｙ断面図、図１３はレール２０を貯蔵室側から見た側面図である。
【００３１】
図８では、回転トレイ１１の回転トレイ軸１１ａ（嵌合爪１１ｂを含む）以外の部位は図示を省略している。図８、図９に示すように、回転トレイ軸１１ａは、例えば、回転トレイ１１の裏面（食品を載置する面と反対側の面）から所定の長さ下方に突出し、略円筒形状に形成されている。そして、回転トレイ軸１１ａの下端部付近の外周に、周方向に所定の幅を有し径方向に所定の長さ外側に突出する一対の嵌合爪１１ｂが形成されている。例えば、一対の嵌合爪１１ｂは、周方向に略１８０°間隔で配置される。ここで、一対の嵌合爪１１ｂの先端間の長さを、Ｄ１と定義する（図８）。また、回転トレイ軸１１ａの外径をＤ４と定義する（図８）。
【００３２】
支持棚１２は、全体形状が回転トレイ１１と略同じ大きさの長方形である。そして、略中心部に回転トレイ１１の回転トレイ軸１１ａが挿入される軸支持穴１２ｃ（円）が開けられている。軸支持穴１２ｃの直径を、Ｄ２と定義する（図８）。
【００３３】
回転トレイ軸１１ａが挿入される軸支持穴１２ｃの縁部に沿って、一対の略半円状のリブ１２ａが形成されている。リブ１２ａは、支持棚１２の回転トレイ１１を載置する面と略平行に形成される。一対の略半円状のリブ１２ａの間が、一対の切欠き部１２ｂとなる。この一対の切欠き部１２ｂの間の長さをＤ３と定義する（図８）。
【００３４】
そして、一対の嵌合爪１１ｂの先端間の長さＤ１、軸支持穴１２ｃの直径Ｄ２、一対の切欠き部１２ｂの間の長さＤ３、回転トレイ軸１１ａの外径Ｄ４は、以下に示す関係を満たす。
【００３５】
Ｄ４＜Ｄ２＜Ｄ１＜Ｄ３
回転トレイ１１は、回転トレイ軸１１ａの一対の嵌合爪１１ｂが、支持棚１２の軸支持穴１２ｃの一対の切欠き部１２ｂの位置にくると、Ｄ１＜Ｄ３、Ｄ４＜Ｄ２の関係にあるから、支持棚１２の軸支持穴１２ｃに挿入可能となる。
【００３６】
回転トレイ軸１１ａの一対の嵌合爪１１ｂが、支持棚１２の軸支持穴１２ｃの一対の切欠き部１２ｂと略一致する位置は、回転トレイ１１の直線辺と支持棚１２の長辺とが平行になっている位置（回転角度０°もしくは１８０°）である。
【００３７】
回転トレイ１１の直線辺と支持棚１２の長辺とが平行になっている位置（回転角度０°もしくは１８０°）において、回転トレイ１１の回転トレイ軸１１ａを支持棚１２の軸支持穴１２ｃに挿入し、回転トレイ軸１１ａに固定リング１３を嵌合する。
【００３８】
固定リング１３は、全体が略円板状であり、回転トレイ１１側の面の外周縁内側に一対の半円状のリブ１３ａが所定の高さで立設している。一対の半円状のリブ１３ａの間の切欠き部１３ｃに、固定リング１３を回転トレイ１１に嵌合する際に、回転トレイ１１の嵌合爪１１ｂがセットされ、その後、固定リング１３を回転することにより回転トレイ１１の嵌合爪１１ｂは爪収納部１３ｂに収納される。固定リング１３の略中央部に、固定リング１３を回転トレイ軸１１ａに固定するときの取っ手１３ｄが形成されている（図１０〜図１２）。
【００３９】
回転トレイ１１の回転トレイ軸１１ａを支持棚１２の軸支持穴１２ｃに挿入した後、固定リング１３を回転トレイ１１の回転トレイ軸１１ａに樹脂の弾性力を利用して固定する。先ず、支持棚１２の軸支持穴１２ｃに挿入された回転トレイ軸１１ａの一対の嵌合爪１１ｂを、固定リング１３の切欠き部１３ｃにセットする。そして、例えば、固定リング１３を時計方向に回転させると、一対の嵌合爪１１ｂが固定リング１３の一対の爪収納部１３ｂの周方向の一方の端部（開口側）を、樹脂の弾性力により乗り越えて爪収納部１３ｂの内側に入り、回転トレイ１１と固定リング１３とが嵌合して固定される（図１０〜図１２）。
【００４０】
固定リング１３の材料は、ＰＯＭ（ポリアセタール）である。ＰＯＭ（ポリアセタール）は、オキシメチレン（ｏｘｙｍｅｔｈｙｌｅｎｅ）構造を単位構造にもつポリマーである。ポリアセタールは非晶部分と結晶部分が混在するために、強度、弾性率、耐衝撃性に優れたエンジニアリングプラスチックである。また摺動特性に優れている為、軸受け部品としても利用されている。
【００４１】
固定リング１３は、そのリブ１３ａが軸として支持棚１２の軸支持穴１２ｃを摺動するので、摺動特性に優れているＰＯＭ（ポリアセタール）を用いるのが好ましい（図１１、図１２）。
【００４２】
回転トレイ１１、支持棚１２の材料は、ＰＳ（ポリスチレン樹脂）である。ＰＳ（ポリスチレン樹脂）は、透明性に優れている。冷蔵庫の貯蔵室において、複数の棚が存在し、照明装置が上部にある場合、貯蔵室全体を明るくするために、照明装置の光を透過させる棚の透明性が重要である。従って、回転トレイ１１、支持棚１２の材料には、透明性が優れたＰＳ（ポリスチレン樹脂）が好適である。
【００４３】
貯蔵室左右側面に設置され、支持棚１２が摺動する一対のレール２０は、図１３に示すように、回転棚装置１０（支持棚１２）を手前に引き出したときに、貯蔵室外に落下しないように、各レール２０の前部にストッパー２０ａが形成されている。
【００４４】
以上のように、本実施の形態の回転棚装置１０は、食品等を載置する回転トレイ１１と、回転トレイ１１を回転自在に支持する支持棚１２と、回転トレイ１１と支持棚１２とを嵌合する固定リング１３と、貯蔵室左右側面に設置され、支持棚１２が摺動する一対のレール２０とを備え、回転トレイ１１を回動させる回転中心が支持棚１２の略中央に形成されるとともに、回転トレイ１１がその回転支点を中心とする円弧形状によって回転トレイ１１の４隅を切り欠いた略四角形状であるので、コーナー部の無効スペースを最小限に留めることができるという効果を奏する。
【００４５】
また、本実施の形態の回転棚装置１０は、回転トレイ１１の回転トレイ軸１１ａに設けられた嵌合爪１１ｂが樹脂の弾性力により固定リング１３のリブ１３ａに嵌合して固定される構成である。そのため、回転棚装置１０の組立が容易であり、また、使用者の取外し（分解）も容易である。さらに、固定リング１３も樹脂（ＰＯＭ）にて構成されているので、形状や色などの自由度が上がり、見栄えも向上できる効果を奏する。
【００４６】
また、本実施の形態の回転棚装置１０は、回転トレイ１１の回転トレイ軸１１ａが、支持棚１２の軸支持穴１２ｃに対し、所定の回転角度（回転角度０°もしくは１８０°）以外では、通過できない嵌合構造である。そのため、仮に、固定リング１３の取り付け不備や、使用中の嵌合爪１１ｂはずれが生じたとしても、回転トレイ１１は容易に落下できず、安全性を向上できる効果を有する。
【００４７】
実施の形態２．
図１４、図１５は実施の形態２を示す図で、図１４は冷蔵庫１００の冷蔵室１０１を示す概念正面図、図１５は冷蔵庫１００の冷蔵室１０１における庫内照明の構成を示す分解斜視図である。
【００４８】
冷蔵庫１００は、例えば、断熱箱体の最上部に冷蔵室１０１が形成されている。冷蔵室１０１（貯蔵室）には、複数の棚を備えるが、ここでは実施の形態１の回転棚装置１０が最上部に設けられる例について説明する。
【００４９】
冷蔵室１０１（貯蔵室）には、冷蔵室１０１内を照射する照明装置２００が冷蔵室１０１天井に配設されている。照明装置２００には、図１３に示すように、単一波長もしくは複数波長の組合せのＬＥＤ２０１（発光ダイオード）が複数個冷蔵室１０１の前後方向に配列されたＬＥＤ実装基板２０２が、例えば、冷蔵室１０１を正面から見た場合、左右に１個づつ中心線の両側に略対称に設けられる。そして、ＬＥＤ２０１を複数個実装したＬＥＤ実装基板２０２は、照明カバー２０３並びにカバー取り付け部材２０４にて、冷蔵室１０１天井面に配置固定される。左右のＬＥＤ実装基板２０２の間の距離をＬ２とする（図１２）。
【００５０】
固定リング１３の材料であるＰＯＭ（ポリアセタール）は、摺動特性は優れているが、透明性がＰＳ（ポリスチレン樹脂）に比べると劣る。そのため、光波の直進性が高いＬＥＤ２０１からの光を遮光する。そのため、照明装置２００内のＬＥＤ実装基板２０２（ここでは２個）は、ＬＥＤ２０１からの光が固定リング１３により遮光されて冷蔵室１０１全体が暗くならように配置する必要がある。
【００５１】
例えば、ＬＥＤ実装基板２０２が、冷蔵室１０１の中心付近にある場合は、ＬＥＤ２０１からの光がＬＥＤ実装基板２０２の直下に位置する固定リング１３により遮光されて、回転棚装置１０より下の空間が暗くなる。
【００５２】
固定リング１３の外径をＬ１とする。固定リング１３の外径Ｌ１は、一例では、φ７０ｍｍ〜φ１００ｍｍ程度である。そして、回転棚装置１０の固定リング１３の外径Ｌ１に対し、冷蔵室１０１の天井面に中心線（冷蔵室）に対して左右対称に配置されるＬＥＤ実装基板２０２の間隔Ｌ２は、少なくとも３倍以上の寸法となる配置が好ましい。即ち、
３×Ｌ１≦Ｌ２
このように、ＬＥＤ実装基板２０２を配置することにより、光波の直進性が高いＬＥＤ２０１からの光に対し、固定リング１３が遮光する割合が軽減される。そのため、回転棚装置１０の下方に配置される他の棚面上の照度が確保され、見栄えが向上する。
【００５３】
また、固定リング１３の外径Ｌ１を、φ７０ｍｍ〜φ１００ｍｍとすることで、回転トレイ１１上に食品が偏った荷重配置にて積載された場合でも、回転途中の９０°角度位置においても、軸部（回転トレイ軸１１ａ）での発生応力が軽減でき、回転トレイ１１や固定リング１３を形成する樹脂材（ＰＳ、ＰＯＭ）の破壊限界に対しても、充分な尤度を有する構造とすることができ、安全性の向上が図れる。
【符号の説明】
【００５４】
１０  回転棚装置、１１  回転トレイ、１１ａ  回転トレイ軸、１１ｂ  嵌合爪、１２  支持棚、１２ａ  リブ、１２ｂ  切欠き部、１２ｃ  軸支持穴、１３  固定リング、１３ａ  リブ、１３ｂ  爪収納部、１３ｃ  切欠き部、１３ｄ  取っ手、２０  レール、２０ａ  ストッパー、１００  冷蔵庫、１０１  冷蔵室、２００  照明装置、２０１  ＬＥＤ、２０２  ＬＥＤ実装基板、２０３  照明カバー、２０４  カバー取り付け部材。
【図１】
2011247445.tif 000003
【図２】
2011247445.tif 000004
【図３】
2011247445.tif 000005
【図４】
2011247445.tif 000006
【図５】
2011247445.tif 000007
【図６】
2011247445.tif 000008
【図７】
2011247445.tif 000009
【図８】
2011247445.tif 000010
【図９】
2011247445.tif 000011
【図１０】
2011247445.tif 000012
【図１１】
2011247445.tif 000013
【図１２】
2011247445.tif 000014
【図１３】
2011247445.tif 000015
【図１４】
2011247445.tif 000016
【図１５】
2011247445.tif 000017